【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
下部構造体上に旋回可能に搭載された上部構造体を有し、前記上部構造体は少なくとも一つのブームを有するクレーンであって、
前記ブームは：
ａ）それぞれが長手軸線ならびに第１及び第２の端部を有する第１及び第２のブームセグメントであって、第１のブームセグメントの前記第２の端部が第２のブームセグメントの前記第１の端部と結合している第１及び第２のブームセグメントと；
ｂ）前記第２のブームセグメントの前記第１の端部にある少なくとも１つの第２のコネクターと個々に結合する、前記第１のブームセグメントの前記第２の端部にある少なくとも１つの第１のコネクターと；
を有し、
ｃ）前記第１及び第２のコネクターのそれぞれは、それを通る開口部を有する少なくとも１つの延長部をそれぞれが有し、前記開口部は前記長手軸線と垂直な軸線を有して、前記ブームセグメントが整列している場合に、結合する第１及び第２のコネクターのすべての開口部が整列するようにされており、；
ｄ）前記少なくとも１つの第１のコネクターは第１の整列面を有し、前記少なくとも１つの第２のコネクターは第２の整列面を有し；
ｅ）前記第１及び第２の整列面は、前記第１及び第２のコネクターを前記ブームの組立中に接合する際に、前記第１及び第２のブームセグメントが軸線方向に整列していない場合でも、前記整列面が協働して、前記第１及び第２のブームセグメントを、テーパー付きの主ピンを前記第１及び第２のコネクターの延長部の開口部に挿入することができるように、コネクターの延長部を通る前記開口部が十分に整列している相対位置へと案内するようにされている、クレーン。
【請求項２】
前記少なくとも一つの第１のコネクターは、概して平らな第１の圧縮荷重支持面をさらに有しており、前記少なくとも一つの第２のコネクターは、概して平らな第２の圧縮荷重支持面をさらに有しており、前記第１及び第２の圧縮荷重支持面表面は、前記第１及び第２のブームセグメントが操作可能な状態にあるときに、前記第１及び第２のコネクターの間に圧縮荷重を伝えるように協働する、請求項１に記載のクレーン。
【請求項３】
前記第１の整列面は、前記第１のコネクターの延長部の遠位端に、丸みをおびた外表面を有し、前記第２の整列面が前記第２のコネクターの延長部の基部に隣接するポケットを有する、請求項１に記載のクレーン。
【請求項４】
前記テーパーピンが前記開口部を通って完全に挿入されているときには、前記第１及び第２の整列面が互いに接触しないようになっている、請求項１に記載のクレーン。
【請求項５】
前記第１のコネクターが２組の延長部を有し、前記第２のコネクターが２組の延長部を有し、２本のピンを用いてそれぞれ対になった第１及び第２のコネクターを接続する、請求項１に記載のクレーン。
【請求項６】
前記第１のコネクターのそれぞれの前記第１の整列面が、前記第１のコネクター上の延長部のそれぞれを通る追加の開口部内に拘束されたガイドピンによって形成され、前記第２のコネクターの前記第２の整列面が、前記ガイドピンの外周に一致するピンシートを含む、請求項１に記載のクレーン。
【請求項７】
前記第１のコネクターが２組の３つの延長部を有し、前記第２のコネクターが２組の２つの延長部を有し、前記ブームがその作動位置に接続されている場合に、前記第２のコネクターのそれぞれの延長部が前記第１のコネクターの延長部の間に収まっている、請求項１に記載のクレーン。
【請求項８】
クレーンブームセグメントであって、
ａ）少なくとも３本の弦材であって、交差した要素が当該弦材を固定して平行となるように接続してブームセグメントを形成するようにしており、当該弦材のそれぞれ及び前記ブームセグメントが、第１の端部及び第２の端部を有し；当該少なくとも３本の弦材のうちの少なくとも１本が前記ブームセグメントの第１の長手方向の部分に存在し、当該少なくとも３本の弦材のうちの残りが前記ブームセグメントの第２の長手方向の部分に存在する、少なくとも３本の弦材と；
ｂ）各弦材の前記第１及び第２の端部のそれぞれにあるコネクターであって；前記ブームセグメント上の全てのコネクターのうちの半分が第１の形式を有して延長部を有し、前記ブームセグメント上の全てのコネクターのうちの残りの半分が第２の形式を有して延長部を有し、前記コネクターのそれぞれはストップ面を有する、コネクターと；
を有し、
ｃ）前記延長部は、主ピンを受け入れる大きさの開口部を有し、前記延長部及び前記開口部は、前記ブームセグメントの前記第２の端部が、該ブームセグメントの前記第１の端部と整列した位置にあって連結状態にされ、２つの前記ブームセグメントのコネクターが連結されたときに、該ブームセグメントの前記第２の端部の前記コネクターを、該ブームセグメントの前記第１の端部の前記コネクターと固定するために前記主ピンを前記開口部に挿入することができるように、前記連結されたコネクターの前記延長部が相互に重なり合って前記開口部が整合するようにされており、
ｄ）前記コネクターの前記ストップ面の配置は、該ブームセグメントを、前記ブームセグメントの前記第２の長手方向部分にある残りの弦材の前記コネクターの前記延長部の前記開口部に前記主ピンを挿入することができるように配置したときに、前記ストップ面が互いに接触して、それぞれのコネクターの延長部にある開口部を整列するようにしている、クレーンブームセグメント。
【請求項９】
前記ストップ面のそれぞれが、圧縮荷重支持面をさらに有する、請求項８に記載のクレーンブームセグメント。
【請求項１０】
前記第１のコネクターが２つの延長部を有し、前記第２のコネクターが３つの延長部を有する、請求項８に記載のクレーンブームセグメント。
【請求項１１】
前記クレーンブームセグメントの前記第１の長手方向の部分の少なくとも１つの前記弦材の前記第１の端部上に存在する前記第１のコネクターが、第１の整列面を含み、前記ブームセグメントの前記第１の長手方向の部分の少なくとも１つの前記弦材の前記第２の端部上に存在する前記第２のコネクターが、第２の整列面を含み、前記第１及び第２の整列面は、該ブームセグメントの第１及び第２のコネクターをブームの組立中に連結する際に、前記ブームセグメントが軸線方向に整列していない場合でも、前記整列面が、前記ブームセグメントを、テーパー付き主ピンを前記第１及び第２の対になったコネクターの延長部の開口部に通して挿入することができるように、前記コネクターの前記延長部を通る前記開口部が十分に整列しているような相対位置へと案内するようになされた、請求項８に記載のクレーンブームセグメント。
【請求項１２】
２つの組み立て式のブームセグメント間の嵌合接続であって、
ａ）第１の組立式のブーム部材の一端部に取り付けられた第１のコネクターと、第２の組立式のブームセグメントの一端部に取り付けられた第２のコネクターとを有し、
ｂ）第１及び第２のコネクターはそれぞれ、ピンを受け入れる大きさの開口部を有する第１及び第２の組の延長部を有しており、
ｃ）それぞれのコネクターは、前記第１の組及び前記第２の組の延長部の間に配置された圧縮荷重支持面を有し、前記第１のコネクターの圧縮荷重支持面は、前記第２のコネクターの圧縮荷重支持面と対面関係にされており、
ｄ）前記第１のコネクターの前記第１の組の延長部及び前記第２のコネクターの前記第１の組の延長部の前記開口部を通る第１のピンと、前記第１のコネクターの前記第２の組の延長部及び第２のコネクターの第２の組の延長部の開口部を通る第２のピンとを有するようにされた、
２つの組立式のブームセグメント間の嵌合接続。
【請求項１３】
２つの組み立て式のブームセグメント間の嵌合接続であって、
ａ）第１の組立式のブームセグメントの一端部に取り付けられた第１のコネクターであって、それぞれが開口部を有する複数の延長部、及び延長部を通る追加の開口部内に拘束されたガイドピンを有する第１のコネクターと；
ｂ）第２の組立式のブームセグメントの一端部に取り付けられた第２のコネクターであって、それぞれが開口部を有する複数の延長部と、該延長部の外側に形成されたストップ面とを有し、該延長部は前記第１のコネクターの延長部と交互に配置されている、第２のコネクターと；
ｃ）前記第１及び第２のコネクターを枢動関係で固定する、交互に配置された延長部の開口部を通る主ピン、及び前記ブームセグメントが軸線方向に整列しているときに前記ストップ面と互いに接触するガイドピンと
を有する、２つの組立式のブームセグメント間の嵌合接続。
【請求項１４】
リフトクレーンブームの第１及び第２のブームセグメントを接続する方法であって、前記ブームセグメントは、それぞれ長手方向の軸線と４本の弦部材とを有し、前記弦部材はそれぞれの端部にコネクターを有するようにされており、
ａ）前記第１のブームセグメントの２つのコネクターの第１の整列面が前記第２のブームセグメントの２つの対応するコネクターの第２の整列面と接触して２対の係合したコネクターを形成する一方で、２つのブームセグメントの長手方向の軸線は整列しておらず且つそれぞれのブームセグメントの残りのコネクターが結合していないように、２つのブームセグメントを接合するステップであって、前記第１及び第２の整列面は、前記ブームセグメントが整列していない状態でコネクターの開口部を大まかに整列するために協動するようにする、ステップと；
ｂ）前記係合したコネクターのそれぞれをピンで連結して枢動接続とするステップと；
ｃ）前記２つのブームセグメントを、前記第１のブームセグメントの前記結合していないコネクターのストップ面が前記第２のブームセグメントの前記結合していないコネクターのストップ面と接触するまで、前記枢動接続の回りで相互に枢動させるステップと；
ｄ）まだ結合されていないコネクターを、対応するコネクターにピン止めするステップと
を含む方法。
【請求項１５】
前記第１のブームセグメントの前記まだ結合されていないコネクターの前記ストップ面及び前記第２のブームセグメントの前記まだ結合されていないコネクターのストップ面のどちらもが、前記接続を通して前記ブームセグメントに掛けられた圧縮荷重を伝えるために使用される概して均一な荷重支持面となる、請求項１４に記載の方法。
【請求項１６】
前記ブームセグメントのそれぞれが、複数の弦材と複数の格子部材からなる、請求項１に記載のクレーン。